(57)【要約】【課題】  壁部を有するコンクリート構造物の打ち継ぎ部において、止水性を高めて、地山側からの漏水を確実に防止する。【解決手段】  壁部を有するコンクリート構造体１０の上部に新たなコンクリート構造体１０を打ち継いで、一体となったコンクリート構造物を構築する際に、既設のコンクリート構造体１０の上面の長手方向の略中央部に、上方へ向かって突出する凸部２０を連続して設ける。凸部２０の側面には、止水部材３０を配設する。コンクリート構造体１０の地山側の上面に面取り部４０を形成し、当該面取り部４０にコーキング材５０を充填する。【選択図】図１
2014173229.tif 000002
【特許請求の範囲】
【請求項１】
壁部を有するコンクリート構造体の上部に新たなコンクリート構造体を打ち継いで、一体となったコンクリート構造物を構築する際に、既設の前記コンクリート構造体の上面の長手方向の略中央部に、上方へ向かって突出する凸部を連続して設けた、
ことを特徴とする壁部を有するコンクリート構造物の打ち継ぎ部構造。
【請求項２】
前記凸部の側面に、止水部材を配設したことを特徴とする請求項１に記載の壁部を有するコンクリート構造物の打ち継ぎ部構造。
【請求項３】
前記コンクリート構造体の地山側の上面に面取り部を形成し、面取り部にコーキング材を充填したことを特徴とする請求項１又は２に記載の壁部を有するコンクリート構造物の打ち継ぎ部構造。
【発明の詳細な説明】
【技術分野】
【０００１】
本発明は、壁部を有するコンクリート構造物の打ち継ぎ部構造に関するものであり、例えば、ケーソンの打ち継ぎ部において、漏水を確実に防止することができる構造に関するものである。
【背景技術】
【０００２】
従来、軟弱地盤や水中で壁部を有するコンクリート構造物（例えば、ケーソン）を構築する工法として、ケーソン工法が広く普及している。ケーソン工法には、オープンケーソン工法やニューマチックケーソン工法等、種々の工法があり、基本的には、地上部で矩形、円形、楕円形等の中空のコンクリート構造体を形成し、コンクリート構造体内部の土砂を掘削・排出しながら、コンクリート構造体を地中に沈下させる工程を、所定回数繰り返すことにより、立坑や基礎を構築するようになっている。
【０００３】
オープンケーソン工法に関する技術は、例えば、特許文献１等に開示されており、ニューマチックケーソン工法に関する技術は、例えば、特許文献２等に開示されている。特許文献１に記載された技術は、ケーソン下端部の刃口内側において、コンクリート打継面に付着した付着物を除去して、筒状側壁の下端を閉塞するコンクリートとその周囲の筒状側壁との間からの漏水を防止することを目的としたものである。また、特許文献２に記載された技術は、置換壁に対して、深度方向で強度変化を小さくすると共に、止水性を高めることにより、打継面の一体性を確保することを目的としたものである。
【先行技術文献】
【特許文献】
【０００４】
【特許文献１】特開２００８−１０６４６８号公報
【特許文献２】特開平９−２２１７６４号公報
【発明の概要】
【発明が解決しようとする課題】
【０００５】
ところで、従来のケーソン工法のように、壁部を有するコンクリート構造物を構築する際には、上下方向に複数段のコンクリート構造体を打ち継ぐのが一般的であり、打ち継ぎ面における止水性を高めることが要求されている。この点、従来の工法では、コンクリート構造体の上面において、幅方向の略中央部に位置するように止水板を設けることにより、地山側から内壁面側への地下水浸透経路を遮断する方法が用いられていた。止水板は、例えば、水膨張性ゴム、塩化ビニル、鋼板等が使用されており、作業員が誤って踏みつけたり蹴飛ばしたりすると、折れ曲がったり、最悪の場合には破損するおそれがある。
【０００６】
また、コンクリートの打ち継ぎ面には、シール材を塗布するが、作業員が踏みつけると、塗布したシール材が剥がれるおそれもあった。
【０００７】
一般的な壁厚（例えば、１ｍ程度）のコンクリート構造体を打ち継ぐ際には、コンクリート構造体の壁部の両側から、幅止め筋の設置を行ったり、型枠のセパレータを配置したりできるため、作業員が壁部上に立ち入って作業を行う必要はなかった。このような壁厚のコンクリート構造物では、上述した止水板による止水構造であっても、特に問題が生じることはない。
【０００８】
しかし、厚みがある壁部（例えば、２ｍ程度）を有するコンクリート構造体を打ち継ぐ際には、鉄筋や型枠を組み立てるために、作業員が壁部上に立ち入らなければならないこともあり、十分な注意を払っているとはいえ、止水板が破損するそれがあった。止水板が破損してしまうと、打ち継ぎ面における止水性を確保することができない場合があった。
【０００９】
このような不都合に対して、上述した特許文献１及び特許文献２に記載された技術を含めて、従来の壁部を有するコンクリート構造物の構築方法（例えば、ケーソン工法）では、壁厚が大きいコンクリート構造物の打ち継ぎ部における止水性の確保について、何ら考慮されていなかった。
【００１０】
本発明は、上述した事情に鑑み提案されたもので、壁部を有するコンクリート構造物の打ち継ぎ部において、止水性を高めて、地山側からの漏水を確実に防止することが可能な打ち継ぎ部構造を提供することを目的とする。
【課題を解決するための手段】
【００１１】
本発明の壁部を有するコンクリート構造物の打ち継ぎ部構造は、上述した目的を達成するため、以下の特徴点を有している。すなわち、本発明の壁部を有するコンクリート構造物の打ち継ぎ部構造は、壁部を有するコンクリート構造体の上部に新たなコンクリート構造体を打ち継いで、一体となったコンクリート構造物を構築する際に、既設のコンクリート構造体の上面の長手方向の略中央部に、上方へ向かって突出する凸部を連続して設けたことを特徴とするものである。
【００１２】
例えば、コンクリート構造物が、ケーソンのように矩形の中空体の場合には、ケーソンの上面（打ち継ぎ面）において、四周方向に連続する凸部（ほぞ）を設ける。この凸部に対して、上部に打ち込むコンクリートの下面は凹部となり、打ち継ぎ面において凸部と凹部とが係合することになる。
【００１３】
また、上述した構成を有する壁部を有するコンクリート構造物の打ち継ぎ部構造において、凸部の側面に、止水部材を配設することが好ましい。止水部材は、例えば、コーキング材や水膨張性ゴム部材からなり、凸部の側面にコーキング材を塗布したり、水膨張性ゴム部材を貼り付けたりすることにより配設する。
【００１４】
また、上述した構成を有する壁部を有するコンクリート構造物の打ち継ぎ部構造において、コンクリート構造体の地山側の上面に面取り部を形成し、当該面取り部にコーキング材を充填することが好ましい。
【発明の効果】
【００１５】
本発明の壁部を有するコンクリート構造物の打ち継ぎ部構造によれば、コンクリート構造体の上面（打ち継ぎ面）に、長手方向へ連続する凸部を設けることにより、止水板を設けることなく、コンクリートの打ち継ぎ部において的確に止水を行うことができる。特に、壁厚が大きいコンクリート構造物の場合には、鉄筋や型枠を組み立てる際に、作業員が壁部上に立ち入ったとしても、止水板が存在しないため、止水板が損傷するおそれがなく、コンクリート構造物の打ち継ぎ部における止水性を高めることができる。
【００１６】
また、凸部の側面に止水部材を配設し、あるいは、コンクリート構造体の地山側の上面に面取り部を形成してコーキング材を充填することにより、コンクリート構造物の打ち継ぎ部における止水性を、より一層高めることができる。
【図面の簡単な説明】
【００１７】
【図１】本発明の実施形態に係る壁部を有するコンクリート構造物の打ち継ぎ部構造の断面図。
【図２】本発明の実施形態に係る壁部を有するコンクリート構造物の打ち継ぎ部構造の斜視図。
【図３】本発明の実施形態に係る壁部を有するコンクリート構造物の打ち継ぎ部構造における凸部の拡大図。
【図４】本発明の実施形態に係る壁部を有するコンクリート構造物の打ち継ぎ部構造における面取り部の拡大図。
【発明を実施するための形態】
【００１８】
以下、図面を参照して、本発明の壁部を有するコンクリート構造物の打ち継ぎ部構造の実施形態を説明する。図１〜図４は本発明の実施形態に係る壁部を有するコンクリート構造物の打ち継ぎ部構造を説明するもので、図１は打ち継ぎ部構造の断面図、図２は打ち継ぎ部構造の斜視図、図３は凸部の拡大図、図４は面取り部の拡大図である。
【００１９】
＜打ち継ぎ部構造の概要＞
本発明の実施形態に係る壁部を有するコンクリート構造物の打ち継ぎ部構造は、厚みがある壁部を有するコンクリート構造物を構築する際に用いられる技術である。以下の実施形態では、本発明を適用する技術としてケーソン工法を例にとって説明を行う。ケーソン工法は、一般的に、地上部で矩形、円形、楕円形等の中空のコンクリート構造体を形成し、コンクリート構造体内部の土砂を掘削・排出しながら、コンクリート構造体を地中に沈下させる工程を、所定回数繰り返すことにより、立坑や構造物の基礎を構築する工法である。
【００２０】
なお、本発明は、壁部を有するコンクリート構造物であれば、どのような構造物にも適用できる技術であり、適用対象がケーソンに限られるものではない。また、矩形の中空状となったケーソンを例にとって説明を行うが、本発明はこのような形状のケーソンの打ち継ぎ部に限定されるものではなく、他の形状のケーソンにも適用することができる技術である。
【００２１】
本発明の実施形態に係る壁部を有するコンクリート構造物の打ち継ぎ部構造は、特に、厚みがある壁部（例えば、２ｍ程度）を有するコンクリート構造物の打ち継ぎ面において、鉄筋や型枠を組み立てるために作業員が壁部上に立ち入ったとしても、止水性を損なうことがない構造となっている。
【００２２】
＜凸部＞
本発明の実施形態に係る壁部を有するコンクリート構造物の打ち継ぎ部構造は、図１〜図３に示すように、既設のコンクリート構造体１０の上部に新たなコンクリート構造体１０を打ち継ぐ際に、既設のコンクリート構造体１０の上面（打ち継ぎ面６０）の長手方向の略中央部に、上方へ向かって突出する凸部２０を連続して設けるようになっている。詳細には図示しないが、上下方向にコンクリート構造体１０を打ち継ぐには、下部のコンクリート構造体１０の上部で、型枠の内部に配筋を行い、当該型枠内にコンクリートを打ち込んで、上部のコンクリート構造体１０を形成する。この際、浮き型枠を用いて凸部２０を形成する。凸部２０の幅及び高さは、コンクリート構造体１０の大きさ等に応じて適宜変更して実施することができる。例えば、壁部の厚みが２ｍ程度のコンクリート構造体１０の場合には、幅２０ｃｍ程度、高さ２０ｃｍ程度の凸部２０を形成する。
【００２３】
＜止水部材＞
凸部２０の側面には、図１及び図３に示すように、止水部材３０を配設することが好ましい。止水部材３０は、打ち継ぎ部において地山側からの浸透水を堰き止めることができればどのような部材であってもよい。例えば、水膨張性ゴム、塩化ビニル等を紐状に形成した止水部材３０を凸部２０の長手方向に沿って貼り付けてもよいし、シリコーン製のコーキング材を塗布してもよい。
【００２４】
また、止水部材３０は、必ずしも凸部２０の両側面（地山側の面及び立抗側の面）に配設する必要はなく、特に地山側だけで十分な止水を行うことができる場合には、地山側だけに止水部材３０を配設してもよい。凸部２０の片側だけに止水部材３０を配設する場合には、手間及び費用を低減することができる。
【００２５】
＜面取り部＞
コンクリート構造体１０には、図１及び図４に示すように、地山側の上面（打ち継ぎ面６０）に面取り部４０を形成することが好ましい。そして、面取り部４０にコーキング材５０を充填することにより、地山側からの地下水浸透経路を遮断することができる。面取り部４０の大きさや形状は、コンクリート構造体１０の大きさ等に応じて適宜変更して実施することができる。例えば、壁部の厚みが２ｍ程度のコンクリート構造体１０の場合には、一辺が１．５ｃｍ程度で、断面がくの字状（楔状）となった面取り部４０を形成する。
【００２６】
コーキング材５０は、打ち継ぎ部において地山側からの浸透水を堰き止めることができればどのような部材であってもよく、例えば、シリコーン製のコーキング材５０を用いることができる。また、より一層、止水性を高める必要がある場合には、地山側だけではなく、内壁面（立坑）側に面取り部４０を設けてもよい。
【００２７】
＜従来技術との比較＞
上述したように、従来のコンクリート構造物の打ち継ぎ部（例えば、ケーソンの打ち継ぎ部）では、コンクリート構造体の上面において、幅方向の略中央部に位置するように止水板を設けると共に、打ち継ぎ面にシール材を塗布して、地山側から内壁面（例えば、立抗）側へ地下水が浸入することを防止していた。このような従来の打ち継ぎ部であっても、一般的な壁厚（例えば、１ｍ程度）のコンクリート構造物の場合には、コンクリート構造体の上部に作業員が立ち入って作業する必要はなく、止水性に問題が生じることは殆ど無かった。
【００２８】
しかし、厚みがある壁部（例えば、２ｍ程度）を有するコンクリート構造物の場合には、打ち継ぎを行う際に、鉄筋や型枠を組み立てるため、作業員がコンクリート構造体の上面に立ち入ることがあり、止水板が破損したり、シール材が剥がれたりするおそれがあった。
【００２９】
また、コンクリートを打ち込んで作成するコンクリート構造体の上面にはレイタンスが生じるのが一般的である。しかし、本発明の打ち継ぎ部に設けた凸部２０では、その側面にレイタンスが生じることはなく、止水部材３０を配設する際に、はつり作業を省略することができる。このため、作業工数が減り、作業員の手間を省くことができるだけではなく、施工費用も低減することができる。
【００３０】
また、本発明の打ち継ぎ部に設けた凸部２０は、水膨張性ゴム等からなる止水板と比較して強度が高く、たとえ作業員が誤って踏みつけたり蹴飛ばしたりしたとしても、破損するおそれは殆どない。したがって、コンクリート構造物（例えば、ケーソン）の打ち継ぎ部における止水性を高めることができ、止水板を用いた従来の工法と比較して、コンクリート構造物の品質を格段に向上させることができる。
【００３１】
さらに、凸部２０の側面に止水部材３０を配設し、さらに地山側の上面に面取り部４０を形成してコーキング材５０を充填している。このため、地山側の打ち継ぎ部において地山からの地下水の浸入を効果的に防止すると共に、凸部２０において屈曲した打ち継ぎ部により地下水の浸入を遮断することができる。さらに、凸部２０の側面に止水部材３０を配設しているため、たとえ凸部２０にまで地下水が浸入してきたとしても、この止水部材３０により地下水の浸入を確実に阻止することができる。
【符号の説明】
【００３２】
１０  コンクリート構造体
２０  凸部
３０  止水部材
４０  面取り部
５０  コーキング材
６０  打ち継ぎ面
【図１】
2014173229.tif 000003
【図２】
2014173229.tif 000004
【図３】
2014173229.tif 000005
【図４】
2014173229.tif 000006